(57)【要約】【課題】本発明は、別システムからの外部信号を必要とせず、単一周波数網を構築可能なＯＦＤＭ変調信号のＣ／Ｎを確保しつつ長距離伝送することができるＯＦＤＭ変調信号伝送方法及びその送信側装置と受信側装置を提供することを目的とする。【解決手段】ＯＦＤＭ変調信号をデジタル光回線網４５のネットワーククロックに同期した基準クロックを用いてＰＣＭ変調し、ＰＣＭ変調で得たＰＣＭ変調信号をデジタル光回線網４５により複数箇所に伝送し、複数箇所それぞれでデジタル光回線網４５からＰＣＭ変調信号を受信し、デジタル光回線網のネットワーククロックに同期した基準クロックを用いて受信したＰＣＭ変調信号をＰＣＭ復調してＯＦＤＭ変調信号を得る。【選択図】      図１
2004179779.tif 000002
【特許請求の範囲】
【請求項１】
ＯＦＤＭ変調信号をデジタル光回線網のネットワーククロックに同期した基準クロックを用いてＰＣＭ変調し、
前記ＰＣＭ変調で得たＰＣＭ変調信号を前記デジタル光回線網により複数箇所に伝送し、
前記複数箇所それぞれで前記デジタル光回線網からＰＣＭ変調信号を受信し、
前記デジタル光回線網のネットワーククロックに同期した基準クロックを用いて受信したＰＣＭ変調信号をＰＣＭ復調してＯＦＤＭ変調信号を得ることを特徴とするＯＦＤＭ変調信号伝送方法。
【請求項２】
ＯＦＤＭ変調信号をＡＴＭ網のネットワーククロックに同期した基準クロックを用いてＰＣＭ変調し、
前記ＰＣＭ変調で得たＰＣＭ変調信号をＡＴＭセルに組み立てて前記ＡＴＭ網により複数箇所に伝送し、
前記複数箇所それぞれで前記ＡＴＭ網から受信したＡＴＭセルを分解してＰＣＭ変調信号を得、
前記ＡＴＭ網のネットワーククロックに同期した基準クロックを用いて前記ＰＣＭ変調信号をＰＣＭ復調してＯＦＤＭ変調信号を得ることを特徴とするＯＦＤＭ変調信号伝送方法。
【請求項３】
ＯＦＤＭ変調信号をデジタル光回線網のネットワーククロックに同期した基準クロックを用いてＰＣＭ変調するＰＣＭ変調手段と、
前記ＰＣＭ変調手段で得たＰＣＭ変調信号を前記デジタル光回線網に送出する信号送出手段を
有することを特徴とする送信側装置。
【請求項４】
デジタル光回線網からＰＣＭ変調信号を受信する受信手段と、
前記デジタル光回線網のネットワーククロックに同期した基準クロックを用いて受信したＰＣＭ変調信号をＰＣＭ復調してＯＦＤＭ変調信号を得るＰＣＭ復調手段を
有することを特徴とする受信側装置。
【請求項５】
ＯＦＤＭ変調信号をＡＴＭ網のネットワーククロックに同期した基準クロックを用いてＰＣＭ変調するＰＣＭ変調手段と、
前記ＰＣＭ変調で得たＰＣＭ変調信号をＡＴＭセルに組み立てて前記ＡＴＭ網に送出するＡＴＭセル送出手段を
有することを特徴とする送信側装置。
【請求項６】
ＡＴＭ網から受信したＡＴＭセルを分解してＰＣＭ変調信号を得るＡＴＭセル分解手段と、
前記ＰＣＭ変調信号を前記ＡＴＭ網のネットワーククロックに同期した基準クロックを用いてＰＣＭ復調してＯＦＤＭ変調信号を得るＰＣＭ復調手段を
有することを特徴とする受信側装置。
【発明の詳細な説明】
【０００１】
【発明の属する技術分野】
本発明はＯＦＤＭ変調信号伝送方法及びその送信側装置と受信側装置に関し、ＯＦＤＭ変調信号を単一周波数網の複数箇所の放送機に伝送するＯＦＤＭ変調信号伝送方法及びその送信側装置と受信側装置に関する。
【０００２】
【従来の技術】
地上デジタルテレビジョン放送では、複数チャンネルのテレビジョン放送信号それぞれを周波数効率の良いＯＦＤＭ（直交周波数分割多重）でデジタル変調して放送される。ＯＦＤＭはマルチパスの干渉にも強く、伝送信号中にガードインターバルという時間的なガードを設けることにより、遅延時間の長いマルチパスの妨害による信号劣化を抑えることができることから、同じ放送内容を同一の周波数で放送する単一周波数網（ＳＦＮ：Ｓｉｎｇｌｅ  Ｆｒｅｑｕｅｎｃｙ  Ｎｅｔｗｏｒｋ）が可能となり、これにより周波数を大きく節約することができる。
【０００３】
単一周波数網を構築するためには、ＳＦＮサービスエリア内で発生するキャリア間干渉を抑えるため、送信周波数差はお互いの放送波間で１Ｈｚ以内であることが要求され、また、シンボル間干渉を抑えるため、各ＳＦＮ放送機におけるＯＦＤＭ変調波の基準クロックの周波数が一致していることが要求される。
【０００４】
図３は、従来のＯＦＤＭ変調信号伝送方法で構成した単一周波数網の一例のブロック図を示す。同図中、演奏所１０に配置されたＯＦＤＭ変調器１２はデジタルテレビジョン放送信号をＯＦＤＭ変調する。得られたＯＦＤＭ変調信号は光送信機１４で光信号に変換されてアナログ光回線１６に送出される。アナログ光回線１６を伝送された光信号は光受信機１８Ａ，１８Ｂで受信され、電気信号のＯＦＤＭ変調信号に変換される。このＯＦＤＭ変調信号は遅延調整装置１９Ａ，１９Ｂでそれぞれある一定の遅延量だけ遅延されて遅延調整された後、放送機２０Ａ，２０ＢからＳＦＮサービスエリア２２に無線送信される（例えば、非特許文献１参照）。
【０００５】
図４は、従来のＯＦＤＭ変調信号伝送方法で構成した単一周波数網の他例のブロック図を示す。同図中、演奏所１０に配置されたＯＦＤＭ変調器１２はデジタルテレビジョン放送信号をＯＦＤＭ変調する。得られたＯＦＤＭ変調信号はＳＨＦ送信機２４でマイクロ波に変換されマイクロ波固定無線回線で送信される。無線伝送路２５Ａ，２５Ｂを伝送されたマイクロ波はＳＨＦ受信機２６Ａ，２６Ｂで受信され、ＯＦＤＭ変調信号に変換される。このＯＦＤＭ変調信号は遅延調整装置２７Ａ，２７Ｂでそれぞれある一定の遅延量だけ遅延されて遅延調整された後、放送機２８Ａ，２８ＢからＳＦＮサービスエリア２２に無線送信される。
【０００６】
また、ＯＦＤＭ変調信号の伝送を行うものではないが、放送ＴＳ（Ｔｒａｎｓｐｏｒｔ  Ｓｔｒｅａｍ）をＡＴＭ回線を使用して伝送するものが、従来から知られている（例えば、非特許文献２参照）。
【０００７】
【非特許文献１】
古川電工時報  第１０５号，平成１２年１月，ｐ１０１−１０４
【非特許文献２】
映像情報メディア学会誌  Ｖｏｌ．５６，Ｎｏ．２，ｐｐ．１６５〜１６７（２００２）
【０００８】
【発明が解決しようとする課題】
従来の図３に示す方法では、アナログ光回線１６を使用している。アナログ光回線では、同期がとりやすいものの、送信機の送信レベルは０ｄＢｍ、標準受光レベルは−５ｄＢｍ程度であり、光ファイバの伝送損失は０．３〜０．５ｄＢ／ｋｍとされているため、伝送距離１０〜１５ｋｍでしか適正レベルでの通信を行うことができず、それ以上に伝送距離が大きくなると光受信機１８Ａ，１８ＢにおけるＣ／Ｎ（Ｃａｒｒｉｅｒ／Ｎｏｉｓｅ）が悪化し、放送機２０Ａ，２０Ｂにおいて実際の送信可能な程度のＣ／Ｎを得ることができないという問題があった。
【０００９】
また、従来の図４に示す方法では、ＯＦＤＭ変調信号はマイクロ波固定無線回線で伝送されるために、必要な周波数の確保が難しく、ＳＨＦ送信機２４及びＳＨＦ受信機２６Ａ，２６Ｂの無線設備にコストがかかり、また、マイクロ波固定無線回線のフェージングの影響を受け、Ｃ／Ｎが劣化するという問題があった。
【００１０】
また、ＡＴＭ回線を使用して複数の送信所に伝送された放送ＴＳを各送信所でＯＦＤＭ変調してＳＦＮサービスエリアに無線送信することが考えられるものの、ＡＴＭ回線のジッタの影響を受けるため、各送信所におけるＯＦＤＭ変調器の同期をとるためには、例えばＧＰＳ（Ｇｌｏｂａｌ  Ｐｏｓｉｔｉｏｎｉｎｇ  Ｓｙｓｔｅｍ）等の外部信号で同期をとらねばならず、ＧＰＳ等の別システムに依存するために信頼性が低くなるという問題があった。
【００１１】
本発明は、上記の点に鑑みなされたもので、別システムからの外部信号を必要とせず、単一周波数網を構築可能なＯＦＤＭ変調信号のＣ／Ｎを確保しつつ長距離伝送することができるＯＦＤＭ変調信号伝送方法及びその送信側装置と受信側装置を提供することを目的とする。
【００１２】
【課題を解決するための手段】
請求項１に記載の発明は、ＯＦＤＭ変調信号をデジタル光回線網のネットワーククロックに同期した基準クロックを用いてＰＣＭ変調し、前記ＰＣＭ変調で得たＰＣＭ変調信号を前記デジタル光回線網により複数箇所に伝送し、前記複数箇所それぞれで前記デジタル光回線網からＰＣＭ変調信号を受信し、前記デジタル光回線網のネットワーククロックに同期した基準クロックを用いて受信したＰＣＭ変調信号をＰＣＭ復調してＯＦＤＭ変調信号を得ることにより、
別システムからの外部信号を必要とせず、単一周波数網を構築可能なＯＦＤＭ変調信号のＣ／Ｎを確保しつつ長距離伝送することができる。
【００１３】
請求項２に記載の発明は、ＯＦＤＭ変調信号をＡＴＭ網のネットワーククロックに同期した基準クロックを用いてＰＣＭ変調し、前記ＰＣＭ変調で得たＰＣＭ変調信号をＡＴＭセルに組み立てて前記ＡＴＭ網により複数箇所に伝送し、前記複数箇所それぞれで前記ＡＴＭ網から受信したＡＴＭセルを分解してＰＣＭ変調信号を得、前記ＡＴＭ網のネットワーククロックに同期した基準クロックを用いて前記ＰＣＭ変調信号をＰＣＭ復調してＯＦＤＭ変調信号を得ることにより、
別システムからの外部信号を必要とせず、単一周波数網を構築可能なＯＦＤＭ変調信号のＣ／Ｎを確保しつつ長距離伝送することができる。
【００１４】
請求項３に記載の発明は、ＯＦＤＭ変調信号をデジタル光回線網のネットワーククロックに同期した基準クロックを用いてＰＣＭ変調するＰＣＭ変調手段と、前記ＰＣＭ変調手段で得たＰＣＭ変調信号を前記デジタル光回線網に送出する信号送出手段を有し、
請求項４に記載の発明は、デジタル光回線網からＰＣＭ変調信号を受信する受信手段と、前記デジタル光回線網のネットワーククロックに同期した基準クロックを用いて受信したＰＣＭ変調信号をＰＣＭ復調してＯＦＤＭ変調信号を得るＰＣＭ復調手段を有することにより、
請求項１の発明を実現できる。
【００１５】
請求項５に記載の発明は、ＯＦＤＭ変調信号をＡＴＭ網のネットワーククロックに同期した基準クロックを用いてＰＣＭ変調するＰＣＭ変調手段と、前記ＰＣＭ変調で得たＰＣＭ変調信号をＡＴＭセルに組み立てて前記ＡＴＭ網に送出するＡＴＭセル送出手段を有し、
請求項６に記載の発明は、ＡＴＭ網から受信したＡＴＭセルを分解してＰＣＭ変調信号を得るＡＴＭセル分解手段と、前記ＰＣＭ変調信号を前記ＡＴＭ網のネットワーククロックに同期した基準クロックを用いてＰＣＭ復調してＯＦＤＭ変調信号を得るＰＣＭ復調手段をすることにより、
請求項２の発明を実現できる。
【００１６】
【発明の実施の形態】
図１は、本発明のＯＦＤＭ変調信号伝送方法で構成した単一周波数網の第１実施例のブロック図を示す。同図中、演奏所３０に配置されたＯＦＤＭ変調器３１はデジタルテレビジョン放送信号のＯＦＤＭ変調を行う。このＯＦＤＭ変調信号は例えば周波数３７．１５ＭＨｚでガードインターバルが設けられている。得られたＯＦＤＭ変調信号は帯域制限フィルタ３２にて後段のＡ／Ｄ変換器での量子化処理のため希望周波数帯域以外の周波数成分を除去されて周波数変換部３３に供給される。周波数変換部３３では周波数発振器３４から供給される基準信号を用いて帯域制限フィルタ３２からのＯＦＤＭ変調信号の搬送波周波数を量子化のための適切な周波数に変換する。
【００１７】
帯域制限フィルタ３５は、ＯＦＤＭ変調信号から周波数変換で発生した不要周波数成分を除去してＡ／Ｄ変換器３６に供給する。Ａ／Ｄ変換器３６は、周波数発振器３７から供給される量子化基準クロックを用いて帯域制限フィルタ３５からのＯＦＤＭ変調信号をＡ／Ｄ変換（ＰＣＭ変調）する。Ａ／Ｄ変換器３６の出力する数値データは、数値処理部３８でデジタル光回線インタフェース３９におけるデータレートに整合がとられ、ＰＣＭ（パルス符号変調）信号としてデジタル光回線インタフェース３９を介しデジタル光回線網４５に送出される。
【００１８】
デジタル光回線インタフェース３９は接続されているデジタル光回線網４５からネットワーククロックを供給されている。このネットワーククロックはデジタル光回線インタフェース３９からＰＬＬ回路４０，４１に供給される。ＰＬＬ回路４０は周波数発振器３４がネットワーククロックに同期した基準信号を発生するよう制御し、また、ＰＬＬ回路４１は周波数発振器３４がネットワーククロックに同期した量子化基準クロックを発生するよう制御する。
【００１９】
上記のＯＦＤＭ変調器３１，帯域制限フィルタ３２，３５，周波数変換部３３，周波数発振器３４，３７，Ａ／Ｄ変換器３６，デジタル光回線インタフェース３９，ＰＬＬ回路４０，４１で送信側装置が構成されている。
【００２０】
デジタル光回線インタフェース３９は接続されているデジタル光回線網４５からネットワーククロックを供給され、このネットワーククロックはデジタル光回線インタフェース３９からＰＬＬ回路４０，４１に供給されて、ＰＬＬ回路４０，４１はネットワーククロックに同期した基準信号及び量子化基準クロックを周波数発振器３４，３７に発生させている。このために、ＰＣＭ変調器の出力するＰＣＭ信号はデジタル光回線網４５のネットワーククロックに同期したものとなり、ＰＣＭ信号の周波数安定度はネットワーククロックに依存する。
【００２１】
ＰＣＭ信号はデジタル光回線インタフェース３９からデジタル光回線網４５に送出され、デジタル光回線インタフェース５０Ａ，５０Ｂで受信される。デジタル光回線インタフェース５０Ａ，５０Ｂそれぞれはデジタル光回線網４５から供給されるＰＣＭ信号を数値処理部５１Ａ，５１Ｂそれぞれに供給し、ネットワーククロックをＰＬＬ回路５２Ａ，５３Ａと、５２Ｂ，５３Ｂとのそれぞれに供給する。
【００２２】
数値処理部５１Ａ，５１Ｂはデジタル光回線網４５からのＰＣＭ信号をＤ／Ａ変換器５４Ａ，５４Ｂで変換可能なデータ形式に変換すると共に、それぞれある一定の遅延量だけ遅延して遅延調整する。なお、数値処理部５１Ａ，５１Ｂにおける遅延量は、放送機６０Ａ，６０Ｂそれぞれから送信されたＯＦＤＭ変調信号をＳＦＮサービスエリア６１で受信した際の時間差がガードインターバルの範囲内となるように各数値処理部５１Ａ，５１Ｂ毎に設定された値である。
【００２３】
数値処理部５１Ａ，５１Ｂの出力する変換データはＤ／Ａ変換器５４Ａ，５４Ｂで周波数発振器５５Ａ，５５Ｂから供給される量子化基準クロックを用いてＤ／Ａ変換（ＰＣＭ復調）され、アナログのＯＦＤＭ変調信号とされる。このＯＦＤＭ変調信号は帯域制限フィルタ５６Ａ，５６ＢにてＤ／Ａ変換で発生した希望周波数帯域以外の周波数成分を除去される。
【００２４】
周波数変換部５７Ａ，５７Ｂそれぞれでは周波数発振器５８Ａ，５８Ｂから供給される基準信号を用いて帯域制限フィルタ５６Ａ，５６ＢからのＯＦＤＭ変調信号の搬送波周波数を希望の搬送波周波数に変換する。周波数変換されたＯＦＤＭ変調信号は帯域制限フィルタ５９Ａ，５９Ｂにて希望周波数帯域以外の周波数成分を除去されて放送機（もしくは中継器）６０Ａ，６０ＢからＳＦＮサービスエリア６１に無線送信される。
【００２５】
上記のデジタル光回線インタフェース５０Ａ，数値処理部５１Ａ，ＰＬＬ回路５２Ａ，５３Ａ，Ｄ／Ａ変換器５４Ａ，周波数発振器５５Ａ，５８Ａ，帯域制限フィルタ５６Ａ，５９Ａ，放送機６０Ａで受信側装置が構成され、同様にデジタル光回線インタフェース５０Ｂ〜放送機６０Ｂで受信側装置が構成されている。
【００２６】
デジタル光回線インタフェース５０Ａ，５０Ｂそれぞれは接続されているデジタル光回線網４５からネットワーククロックを供給され、このネットワーククロックはデジタル光回線インタフェース５０Ａ，５０ＢそれぞれからＰＬＬ回路５２Ａ，５３Ａと、５２Ｂ，５３Ｂとのそれぞれに供給されて、ＰＬＬ回路５２Ａ，５３Ａはネットワーククロックに同期した量子化基準クロック及び基準信号を周波数発振器５５Ａ，５８Ａに発生させており、ＰＬＬ回路５２Ｂ，５３Ｂはネットワーククロックに同期した量子化基準クロック及び基準信号を周波数発振器５５Ｂ，５８Ｂに発生させている。
【００２７】
従って、それぞれのＰＣＭ復調器から出力されるＯＦＤＭ変調信号はデジタル光回線網４５のネットワーククロックに同期したものとなり、ＯＦＤＭ変調信号の周波数安定度はネットワーククロックに依存する。通常のデジタル光回線網ではネットワークセンタに置かれたセシウム原子発振器で発生したネットワーククロックを基に通信を行っているため、デジタル光回線インタフェース３９，５０Ａ，５０Ｂそれぞれにおけるネットワーククロックは伝送遅延差を別にして周波数的には完全に一致している。このように、放送機６０Ａ，６０ＢそれぞれからＳＦＮサービスエリア６１に送信されるＯＦＤＭ変調信号は周波数的に一致しているため、単一周波数網（ＳＦＮ）を構成することができる。
【００２８】
また、デジタル光回線網の場合、ＯＦＤＭ変調信号に求められるＣ／Ｎを５０ｄＢとすると、Ａ／Ｄ変換器３６においてＯＦＤＭ変調信号の１０ビット量子化を行えば約６０ｄＢが確保され、距離の大きさによらず６０ｄＢのＣ／Ｎを確保した伝送が可能である。
【００２９】
図２は、本発明のＯＦＤＭ変調信号伝送方法で構成した単一周波数網の第２実施例のブロック図を示す。同図中、演奏所６９に配置された再多重器７０にはＭＰＥＧ−２に準拠したＴＳ（Ｔｒａｎｓｐｏｒｔ  Ｓｔｒｅａｍ）信号を多重した通常ＴＳ信号を供給される。再多重器７０はこの通常ＴＳ信号に地上デジタルテレビジョン放送信号の多重フレーム構造を与えＯＦＤＭ変調器への入力を可能とすると共に、変調情報、モード情報、ネットワーク情報等の制御情報を付加し、放送ＴＳ信号としてＯＦＤＭ変調器７１に供給する。
【００３０】
ＯＦＤＭ変調器７１はテレビジョン放送信号のＯＦＤＭ変調を行う。このＯＦＤＭ変調信号は例えば周波数３７．１５ＭＨｚでガードインターバルが設けられている。得られたＯＦＤＭ変調信号は帯域制限フィルタ７２にて後段のＡ／Ｄ変換器での量子化処理のため希望周波数帯域以外の周波数成分を除去されて周波数変換部７３に供給される。周波数変換部７３では周波数発振器７４から供給される基準信号を用いて帯域制限フィルタ７２からのＯＦＤＭ変調信号の搬送波周波数を量子化のための適切な周波数に変換する。
【００３１】
帯域制限フィルタ７５は、ＯＦＤＭ変調信号から周波数変換で発生した不要周波数成分を除去してＡ／Ｄ変換器７６に供給する。Ａ／Ｄ変換器７６は、周波数発振器７７から供給される量子化基準クロックを用いて帯域制限フィルタ７５からのＯＦＤＭ変調信号をＡ／Ｄ変換（ＰＣＭ変調）する。Ａ／Ｄ変換器７６の出力する数値データは、数値処理部７８でクラッド（ＣＬＡＤ）回路７９におけるデータレートに整合がとられ、ＰＣＭ（パルス符号変調）信号としてクラッド回路７９に供給される。クラッド回路７９はＰＣＭ信号をＡＴＭセルのフォーマットに組み立ててＡＴＭ網８５に送出する。
【００３２】
クラッド回路７９は接続されているＡＴＭ網８５からネットワーククロックを供給されている。このネットワーククロックはクラッド回路７９からＰＬＬ回路８０，８１に供給される。ＰＬＬ回路８０は周波数発振器７４がネットワーククロックに同期した基準信号を発生するよう制御し、また、ＰＬＬ回路８１は周波数発振器７４がネットワーククロックに同期した量子化基準クロックを発生するよう制御する。
【００３３】
上記の再多重器７０，ＯＦＤＭ変調器７１，帯域制限フィルタ７２，７５，周波数変換部７３，周波数発振器７４，７７，Ａ／Ｄ変換器７６，クラッド回路７９とＰＬＬ回路８０，８１で送信側装置が構成されている。
【００３４】
クラッド回路７９は接続されているＡＴＭ網８５からネットワーククロックを供給され、このネットワーククロックはクラッド回路７９からＰＬＬ回路８０，８１に供給されて、ＰＬＬ回路８０，８１はネットワーククロックに同期した基準信号及び量子化基準クロックを周波数発振器７４，７７に発生させている。このために、ＰＣＭ変調器の出力するＰＣＭ信号はＡＴＭ網８５のネットワーククロックに同期したものとなり、ＰＣＭ信号の周波数安定度はネットワーククロックに依存する。
【００３５】
ＡＴＭ網８５を伝送されたＡＴＭセルはクラッド回路９０Ａ，９０Ｂで受信される。クラッド回路９０Ａ，９０Ｂそれぞれは供給されるＡＴＭセルを分解してＰＣＭ信号を得る。クラッド回路９０Ａ，９０ＢそれぞれはＡＴＭ網８５から供給されるＰＣＭ信号を数値処理部９１Ａ，９１Ｂそれぞれに供給し、ネットワーククロックをＰＬＬ回路９２Ａ，９３Ａと、９２Ｂ，９３Ｂとのそれぞれに供給する。
【００３６】
数値処理部９１Ａ，９１ＢはＡＴＭ網８５からのＰＣＭ信号をＤ／Ａ変換器９４Ａ，９４Ｂで変換可能なデータ形式に変換すると共に、それぞれある一定の遅延量だけ遅延して遅延調整する。なお、数値処理部９１Ａ，９１Ｂにおける遅延量は、放送機１００Ａ，１００Ｂそれぞれから送信されたＯＦＤＭ変調信号をＳＦＮサービスエリア１０１で受信した際の時間差がガードインターバルの範囲内となるように各数値処理部９１Ａ，９１Ｂ毎に設定された値である。
【００３７】
数値処理部９１Ａ，９１Ｂの出力する変換データはＤ／Ａ変換器９４Ａ，９４Ｂで周波数発振器９５Ａ，９５Ｂから供給される量子化基準クロックを用いてＤ／Ａ変換（ＰＣＭ復調）され、アナログのＯＦＤＭ変調信号とされる。このＯＦＤＭ変調信号は帯域制限フィルタ９６Ａ，９６ＢにてＤ／Ａ変換で発生した希望周波数帯域以外の周波数成分を除去される。
【００３８】
周波数変換部９７Ａ，９７Ｂそれぞれでは周波数発振器９８Ａ，９８Ｂから供給される基準信号を用いて帯域制限フィルタ９６Ａ，９６ＢからのＯＦＤＭ変調信号の搬送波周波数を希望の搬送波周波数に変換する。周波数変換されたＯＦＤＭ変調信号は帯域制限フィルタ９９Ａ，９９Ｂにて希望周波数帯域以外の周波数成分を除去されて放送機（もしくは中継器）１００Ａ，１００ＢからＳＦＮサービスエリア１０１に無線送信される。
【００３９】
上記のクラッド回路９０Ａ，数値処理部９１Ａ，ＰＬＬ回路９２Ａ，９３Ａ，Ｄ／Ａ変換器９４Ａ，周波数発振器９５Ａ，９８Ａ，帯域制限フィルタ９６Ａ，９９Ａ，放送機１００Ａで受信側装置が構成され、同様にクラッド回路９０Ａ〜放送機１００Ｂで受信側装置が構成されている。
【００４０】
クラッド回路９０Ａ，９０Ｂそれぞれは接続されているＡＴＭ網８５からネットワーククロックを供給され、このネットワーククロックはクラッド回路９０Ａ，９０ＢそれぞれからＰＬＬ回路９２Ａ，９３Ａと、９２Ｂ，９３Ｂとのそれぞれに供給される。ＰＬＬ回路９２Ａ，９３Ａはネットワーククロックに同期した量子化基準クロック及び基準信号を周波数発振器９５Ａ，９８Ａに発生させており、ＰＬＬ回路９２Ｂ，９３Ｂはネットワーククロックに同期した量子化基準クロック及び基準信号を周波数発振器９５Ｂ，９８Ｂに発生させている。
【００４１】
従って、それぞれのＰＣＭ復調器から出力されるＯＦＤＭ変調信号はＡＴＭ網８５のネットワーククロックに同期したものとなり、ＯＦＤＭ変調信号の周波数安定度はネットワーククロックに依存する。ＡＴＭ網８５はネットワークセンタに置かれたセシウム原子発振器で発生したネットワーククロックを基に通信を行っているため、クラッド回路７９，９０Ａ，９０Ｂそれぞれにおけるネットワーククロックは伝送遅延差を別にして周波数的には完全に一致している。このように、放送機１００Ａ，１００ＢそれぞれからＳＦＮサービスエリア１０１に送信されるＯＦＤＭ変調信号は周波数的に一致しているため、単一周波数網（ＳＦＮ）を構成することができる。
【００４２】
また、ＡＴＭ網の場合、ＯＦＤＭ変調信号に求められるＣ／Ｎを５０ｄＢとすると、Ａ／Ｄ変換器７６においてＯＦＤＭ変調信号の１０ビット量子化を行えば約６０ｄＢが確保され、距離の大きさによらず６０ｄＢのＣ／Ｎを確保した伝送が可能である。
【００４３】
なお、帯域制限フィルタ３２，３５，周波数変換部３３，周波数発振器３４，３７，Ａ／Ｄ変換器３６，ＰＬＬ回路４０，４１、または、帯域制限フィルタ７２，７５，周波数変換部７３，周波数発振器７４，７７，Ａ／Ｄ変換器７６が請求項記載のＰＣＭ変調手段に対応し、デジタル光回線インタフェース３９が信号送出手段に対応し、デジタル光回線インタフェース５０Ａ，５０Ｂが受信手段に対応し、数値処理部５１Ａ，５１Ｂ，ＰＬＬ回路５２Ａ，５３Ａ，５２Ｂ，５３Ｂ，Ｄ／Ａ変換器５４Ａ，５４Ｂ，周波数発振器５５Ａ，５８Ａ，５５Ｂ，５８Ｂ，帯域制限フィルタ５６Ａ，５９Ａ，５６Ｂ，５９Ｂ、または、数値処理部９１Ａ，９１Ｂ，ＰＬＬ回路９２Ａ，９３Ａ，９２Ｂ，９３Ｂ，Ｄ／Ａ変換器９４Ａ，９４Ｂ，周波数発振器９５Ａ，９８Ａ，９５Ｂ，９８Ｂ，帯域制限フィルタ９６Ａ，９９Ａ，９６Ｂ，９９ＢがＰＣＭ復調手段に対応し、クラッド回路７９がＡＴＭセル送出手段に対応し、クラッド回路９０Ａ，９０ＢがＡＴＭセル分解手段に対応する。
【００４４】
【発明の効果】
上述の如く、請求項１に記載の発明は、ＯＦＤＭ変調信号をデジタル光回線網のネットワーククロックに同期した基準クロックを用いてＰＣＭ変調し、ＰＣＭ変調で得たＰＣＭ変調信号をデジタル光回線網により複数箇所に伝送し、複数箇所それぞれでデジタル光回線網からＰＣＭ変調信号を受信し、デジタル光回線網のネットワーククロックに同期した基準クロックを用いて受信したＰＣＭ変調信号をＰＣＭ復調してＯＦＤＭ変調信号を得ることにより、別システムからの外部信号を必要とせず、単一周波数網を構築可能なＯＦＤＭ変調信号のＣ／Ｎを確保しつつ長距離伝送することができ、単一周波数網を容易に構築できるため周波数の利用率向上につながる。
【００４５】
また、請求項２に記載の発明は、ＯＦＤＭ変調信号をＡＴＭ網のネットワーククロックに同期した基準クロックを用いてＰＣＭ変調し、ＰＣＭ変調で得たＰＣＭ変調信号をＡＴＭセルに組み立ててＡＴＭ網により複数箇所に伝送し、複数箇所それぞれでＡＴＭ網から受信したＡＴＭセルを分解してＰＣＭ変調信号を得、ＡＴＭ網のネットワーククロックに同期した基準クロックを用いてＰＣＭ変調信号をＰＣＭ復調してＯＦＤＭ変調信号を得ることにより、別システムからの外部信号を必要とせず、単一周波数網を構築可能なＯＦＤＭ変調信号のＣ／Ｎを確保しつつ長距離伝送することができ、単一周波数網を容易に構築できるため周波数の利用率向上につながる。
【００４６】
また、請求項３及び請求項４に記載の発明によれば、請求項１の発明を実現できる。
【００４７】
また、請求項５及び請求項６に記載の発明によれば、請求項２の発明を実現できる。
【図面の簡単な説明】
【図１】本発明のＯＦＤＭ変調信号伝送方法で構成した単一周波数網の第１実施例のブロック図である。
【図２】本発明のＯＦＤＭ変調信号伝送方法で構成した単一周波数網の第２実施例のブロック図である。
【図３】従来のＯＦＤＭ変調信号伝送方法で構成した単一周波数網の一例のブロック図である。
【図４】従来のＯＦＤＭ変調信号伝送方法で構成した単一周波数網の他例のブロック図である。
【符号の説明】
３０，６９  演奏所
３１，７１  ＯＦＤＭ変調器
３２，３５，５６Ａ，５６Ｂ，５９Ａ，５９Ｂ，７２，７５，９６Ａ，９６Ｂ，９９Ａ，９９Ｂ  ，帯域制限フィルタ
３３  周波数変換部
３４，３７  周波数発振器
３６  Ａ／Ｄ変換器
３９，５０Ａ，５０Ｂ  デジタル光回線インタフェース
３８，７８，５１Ａ，５１Ｂ，９１Ａ，９１Ｂ  数値処理部
４０，４１，５２Ａ，５２Ｂ，５３Ａ，５３Ｂ，７０，７１，９２Ａ，９２Ｂ，９３Ａ，９３Ｂ  ＰＬＬ回路
４５  デジタル光回線網
５４Ａ，５４Ｂ  Ｄ／Ａ変換器
６０Ａ，６０Ｂ，１００Ａ，１００Ｂ  放送機
６１，１０１  ＳＦＮサービスエリア
７０  再多重器
７９，９０Ａ，９０Ｂ  クラッド回路
８５  ＡＴＭ網
【図１】
2004179779.tif 000003
【図２】
2004179779.tif 000004
【図３】
2004179779.tif 000005
【図４】
2004179779.tif 000006